(57)【要約】      （修正有）【課題】携帯性の高いショッピングキャリーを提供する。【解決手段】ショッピングキャリー本体を単一棒状で形成し、前記ショッピングキャリー本体に設けられた保持具２、２に買い物袋の取っ手部を掛止させ荷受部４でその買い物袋を支え運搬する事により携帯性の高いショッピングキャリーが提供でき本体が単一棒状なので構造がシンプルなためコストも抑えられる。略Ｕ字状のハンドル１を利用者の一方の腕に掛け、持ち運びする事やスタンドを接地させ歩行補助具として歩行する事も可能になる事により携帯性が高くなる。【選択図】図２
2010195379.tif 000002
【特許請求の範囲】
【請求項１】
単一の棒状本体フレームと、その一方の端部に設けられた略Ｕ字状のハンドルと、前記単一の棒状本体フレームの他方の端部に設けられた車輪と、前記車輪の近傍に固定された荷受部と、前記車輪近傍で前記本体フレームに設けられ前記荷受け部を支承するスタンドと前記単一の棒状本体フレームに前記荷受部と離間して設けられた買い物袋の取っ手部を掛止する保持具とを備えたショッピングキャリー。
【請求項２】
前記ハンドルと前記車輪との間に設けられ本体フレームの長さを調節する伸縮機構をさらに備えた事を特徴とする請求項１に記載のショッピングキャリー。  
【発明の詳細な説明】
【技術分野】
【０００１】
本発明は荷物運搬用ショッピングキャリーに関するものである。          
【背景技術】
【０００２】
従来のショッピングキャリーは、例えば図４に示すように構成されていて、１はハンドル、３、３は車輪、４は荷受部、６は本体フレーム、７は伸縮機構である。このようなものは積載量が多い際の設計なので本体容量は大きい。又、伸縮機構７によって部分的に折りたためるが、本体フレーム６が２本構成なので３次元的に嵩張ってしまう。（特許文献１参照。）
【０００３】
また、図５に示した従来のショッピングキャリーについて説明する。１はハンドル、３、３は車輪、５はスタンド、６は本体フレームである。これは形状が固定された箱型の荷物を乗せるもので、上述した、図４より図５は本体容積が小さいが何れも本体フレームが２本なので幅が広く且つ３次元的に嵩張ってしまう。
【先行技術文献】
【特許文献】
【０００４】
【特許文献１】実用新案登録第３１１１５６９号  公報
【発明の概要】
【発明が解決しようとする課題】
【０００５】
以上に述べた、従来のショッピングキャリーは、荷物の容量が大きい際の設計なので本体が大きく、利用者が買い物の際に、買い物施設などで入り口付近に置くなどの行為をしなくてはならず、盗難の恐れや、その他の買い物客の歩行の妨げや、施設内にて床に積み上げられている商品などを崩してしまうなどの課題があり、利便性、携帯性がなく構造が複雑なため製造コストを抑える事ができなかった。
【０００６】
また、以上に述べた、従来のショッピングキャリーは買い物施設内へ持ち込まなければいけない場合、折り畳んだ状態もしくは、折り畳まない状態でハンドル１を握り持ち入る。折り畳む際、高齢者や不慣れな人達にとってその行為は指を挟んでしまうなど容易ではなく、ハンドル１を持つ手が塞がってしまい両手が使えなくなるので買い物が円滑に運ばなくなってしまう。
【０００７】
高齢者の人や家族構成の少ない人や、一回の買い物量が１０Kgに満たない人にとって大容量のショッピングキャリーは大き過ぎで適切ではなく、かと言ってショッピングキャリーを使用しないで買い物をすると、例え１０kg未満の買い物量でも運搬者が手で買い物袋を持ち歩かなければならず手が痛くなってしまう。さらに、従来のショッピングキャリーは非使用保管時にも嵩張り邪魔になってしまう。
【０００８】
本発明は、このような従来の構成が有していた課題を解決しようとするものであり、単一棒状本体フレームとする事に横幅を狭くする事が出来買い物施設内への持ち込みが容易になり、さらにこの施設内での買い物途中でもスタンド５を接地させ、本体を直立させ歩行補助具としても利用できる。そして本体を利用者側に傾けると車輪３が接地し、本体を直立させるとスタンド５が接地するので独立して直立する事が可能になり、買い物途中でも使用者が休みたい時に手を離しても倒れる事はない。                              
【課題を解決するための手段】
【０００９】
本発明は、単一の棒状本体フレームと、その一方の端部に設けられた略Ｕ字状のハンドルと、前記単一の棒状本体フレームの他方の端部に設けられた車輪と、前記車輪の近傍に固定された荷受部と、前記車輪近傍で前記本体フレームに設けられ前記荷受け部を支承するスタンドと前記単一の棒状本体フレームに前記荷受部と離間して設けられた買い物袋の取っ手部を掛止する保持具とを備える事によって従来の欠点を解決したショッピングキャリーを提供する。                                                              
【発明の効果】
【００１０】
上述したように、本発明のショッピングキャリーは、本体の持ち運び又は荷物運搬時にスタンド５、車輪３、３を接地させ安定或いは容易に歩行する事が出来、歩行補助具としての利用とショッピングキャリーの利用は直立させるか、利用者側に傾けるかだけで切り替えることが出来、切り替えるための困難な作業を必要としないため構造がシンプルとなる。さらに従来のショッピングキャリーに見られる、籠や、バックが付いていないので３次元的に嵩張る事はなく利便性、携帯性に優れ軽量化または、製造コストを抑える事が出来る。本体を直立させた状態で手を離してもスタンド５が接地しているので倒れる事はない。利用者が歩行の途中などに休みたい時、本体から手を離す事が出来る。
【００１１】
また、保持具２、２に買い物施設などで提供されるビニール袋または、利用者が持参した買い物バッグの取っ手部を掛止し荷物を積載する荷受部４を車輪３、３の付近に設けたため、荷物の重心が下がる事により利用者への負担を軽減させられる。
【図面の簡単な説明】
【００１２】
【図１】本発明の一実施を示すショッピングキャリーの直立状態の側面図である。
【図２】同ショッピングキャリーの斜視図である。
【図３】同ショッピングキャリーの後方から見た斜視図である。
【図４】従来のショッピングキャリーの斜視図である。
【図５】従来の他のショッピングキャリーの斜視図である。
【発明を実施するための最良の形態】
【００１３】
以下、本発明を図１ないし図３に示された一実施例に基づいて説明する。上記課題を解決するために、単一の棒状の本体フレーム６の一方の端部に略Ｕ字状のハンドル１が設けられていて、単一の棒状の本体フレーム６の他方の端部に少なくとも２つの車輪３、３が設けられている。前記本体フレーム６の車輪近傍には固定された荷受部４が設けられていて、前記本体フレーム６には前記荷受部４と離間して買い物袋を掛止する保持具２、２が設けられている。前記荷受部４の下方にはスタンド５が設けられていて荷受け部４に載置される買い物の重量を受ける。前期ハンドル１と前記車輪３、３との間，すなわち本体フレーム６の略中間部には伸縮機構７が設けられている。
【００１４】
また、本体フレーム６はハンドル１側の第１フレーム６a、第２フレーム６bとで構成されていてこれらのフレーム６a、６bは、フレーム６bの外径がフレーム６aの内径よりも径小に形成された筒状の例えばアルミニウムで構成されている。このように構成する事により、伸縮機構７を１方向に回転させてフレーム６a,６bの係合を解除して本体フレーム６の長さを調節し伸縮機構７を逆方向に回転させてフレーム６a,６bを係合させて本体フレーム６を所定の長さに固定させる事が出来る。なお、フレーム６aを１方向に回転させると上下に伸縮自在になるだけでなく本体フレーム６aに付随するハンドル１の向きも方向自在になり利用者の身長、人ごみなどの状況や好みに容易に応じられ、固定させたい箇所で逆方向に回転するとハンドル１と本体フレーム６の長さ及び向きを固定する事が出来る。伸縮機構７の内空部に図示しないストッパーが設けられているので、２本のフレーム６a,６bが離れてしまうこと事はない。
【００１５】
上記一実施例に示した本発明ショッピングキャリーの使用方法について説明する。即ちハンドル１が略Ｕ字状に施されているので、利用者の一方の腕に引っ掛けることや、買い物施設などで提供される買い物籠にハンドル１を掛止することができ、両手を使い買い物ができるようになり、本体フレーム６の一方の端部に車輪３、３が設けられているので、引っ張って施設内へ入る際も本体フレーム６が一本構成なので、邪魔になる可能性は低く、スタンド５を接地させ歩行補助具としても施設内で歩行しても邪魔になる可能性は少ない。
【００１６】
また、ショッピングキャリーと歩行補助具の利用は、本体を直立させるか利用者側に傾けるかだけで切り替える事ができ、利用の際切り替えるための困難な作業を必要としない。
【００１７】
また、ショッピングキャリーが後方へ伸び過ぎていると他の歩行者の妨げになってしまうので、利用者の身長或いは周囲の状況に応じ伸縮でき、ハンドル１も方向自在になるため好みに応じ調整が可能になる。また、荷受部４は１０kg未満の荷重に耐えられるものとして鉄板を使用している。
【００１８】
以下、上記構成の動作を説明する。荷物運搬時または、非使用時にかかわらず、本体を直立させるとスタンド５により直立し、本体を利用者側に傾けると車輪３、３によりショッピングキャリーとして利用でき、ハンドル１と車輪３、３の間に設けられている保持具２、２を利用し買い物袋などを引っ掛け荷物を積載する荷受部４により荷物が固定され、伸縮機構７により長さを調整でき、利用者の身長、状況、好みに応じられ、安定した歩行が出来る。
【００１９】
不使用保管時には、スタンド５を接地させ直立状態にさせ利用者宅の玄関などに置き或いは、ハンドル１を下駄箱または、棚などに引っ掛け、置いておける。
【００２０】
上記実施例において、伸縮機構７については段階式押し込み伸縮をするものでも良いが伸縮機構がないものでも良い。荷受部４は鉄板で構成したものについて述べたが、例えば針金を編んだ編み目状の物などでも良い。本体フレーム６の素材はアルミニウムで構成したものについて述べたが例えばプラスチックなどある程度の剛性があるもので構成しても良い。保持具２、２は固定式のものについて述べたが、本体フレーム６に上下方向調節可能なスライド式保持具などで構成しても良い。ハンドル１の形状は略Ｕ字状と述べたが、腕に掛け易い例えば、Ｖ字状、Ｌ字状、Ｏ字状のものなどの形状で構成しても良い。  
【符号の説明】
【００２１】
１    ハンドル
２    保持具
３    車輪
４    荷受部
５    スタンド
６    本体フレーム
６a    第１フレーム   
６b    第２フレーム  
７    伸縮機構
８    留め具  
【図１】
2010195379.tif 000003
【図２】
2010195379.tif 000004
【図３】
2010195379.tif 000005
【図４】
2010195379.tif 000006
【図５】
2010195379.tif 000007